(57)【要約】【課題】  随伴車を必要としない運転代行システムに利用できる客車両用運転代行メーターを提供する。  【解決手段】  運転代行メーター８は、客車のメーター内にある距離計２・３を撮影するカメラ部４と、このカメラ部４で出発地点の距離数を写し撮り、この距離数を記憶し、客車の距離計２・３の数値が１ｋｍずつ変わるのをカメラ部４での距離計の撮影画面から判断し１ｋｍごとの距離を料金に換算し、その料金を基本料金に加算するコントロール部２３と、少なくとも料金を表示する表示部１３とを備え、前記カメラ部４は吸盤６、磁石、粘着テープ等で客車のメーター内にある距離計を写し撮れる所に着脱自在に出来るようにする。【選択図】  図１
2009175787.tif 000002
【特許請求の範囲】
【請求項１】
客車のスピードメーター内にある距離計を撮影するカメラ部と、このカメラ部で出発地点の距離数値を写し撮り、前記距離数値を記憶して、車の距離計の数値が１ｋｍずつ変わるのを前記カメラ部での距離計の撮影画面から判断し１ｋｍごとの距離を料金に換算しその料金を基本料金に加算するコントロール部と、少なくとも料金を表示する表示部とを備え、前記カメラ部は吸盤、磁石、粘着テープ、等で客車のメーター内にある距離計を写し撮れる所に着脱自在できるようにしたことを特徴する客車両用運転代行メーター。      
【請求項２】
走行ボタンと、精算ボタンと、始距離表示部と、終距離表示部と、実際走行距離数表示部とを備え、前記コントロール部は前記走行ボタンが押されると前記カメラ部で写し撮った前記始距離数値を始距離表示部に表示し、前記精算ボタンが押されると前記カメラ部で前記終距離数を写し撮り終距離表示部に表示し、終距離数から始距離数を引き算することで実際走行距離数を計算し実際走行距離数表示部に表示することを特徴とする請求項１記載の客車両用運転代行メーター。  
【発明の詳細な説明】
【技術分野】
【０００１】
本発明は、自動車、車両の運転代行に随伴車を必要としない、又大幅にコストを削減できる運転代行システムに利用できる客車両用運転代行メーターに関するものである。          
【背景技術】
【０００２】
現在の自動車の運転代行は随伴車１台に２人体制で自社からの指示待ち、駐車場での客待ちや、繁華街を客拾いの為に走り回る流し行為、駐車禁止の道路上で随伴車内での客待ちする不法駐車、等で客を拾い又は自社からの指示で客の目的地に客車と随伴車とで行き随伴車に取り付けられた、距離を金額に変換したメーターの表示金額を領収し、又次の客を見つける為随伴車に２人乗って繁華街に帰って来る。
【０００３】
時間による随伴車なしの運転代行や、ＧＰＳによる随伴車なしの運転代行の申請がされているが、時間による運転代行は同じ距離であっても日中、夕方、夜、の時間帯による時間差、又平日、日祭日による道路の混雑による時間の差、運転代行員の各個人による時間差等で時間による料金はなじまないものである。又ＧＰＳによる運転代行はいくらＧＰＳの精度が良くても客には見えない為、運転代行会社を信用するしかなく、客の信用を得るためには長い時間と実績が必要である。
【発明の開示】
【発明が解決しようとする課題】
【０００４】
現在の客車１台に随伴車１台の運転代行のシステムは、人件費、随伴車の買い入れ、維持費、繁華街の駐車場を借りる為の駐車料金等の大幅にコストが必要であった。又繁華街での客待ちをすることによる違法駐車問題、客獲得の為の流しによる交通問題、客待ち時間の冷暖房の為のアイドリングによる排気ガス等の問題も発生していた。
【０００５】
本発明は随伴車を必要としない運転代行システムに利用できる客車両用運転代行メーターを提供することを目的とする。
【課題を解決するための手段】
【０００６】
本発明は上記目的を達成するため、客車のメーター内にある距離計を撮影するカメラ部と、このカメラ部で出発地点の距離数を写し撮り、前記距離数をコントロール部で記憶し、客車の距離計の数値が１ｋｍずつ変わるのを前記カメラ部での距離計の撮影画面から判断し１ｋｍごとの距離を料金に換算しその料金を基本料金に加算するコントロール部と、少なくとも料金を表示する表示部と備え、前記カメラ部は吸盤、磁石、粘着テープ、等で客車のメーター内にある距離計を写し撮れる所に着脱自在に出来るようにしたことを特徴とする。
【０００７】
また本発明は走行ボタンと、精算ボタンと、始距離表示部と、終距離表示部と、実際走行距離表示部とを備え、前記コントロール部は走行ボタンが押されると前記カメラ部で写し撮った前記始距離数を始距離数表示部に表示し、前記精算ボタンが押されると前記カメラ部で終わり地点の距離数を写し撮り前記終距離数表示部に表示し、終距離数から始距離数を引き算することで実際の走行距離数を計算し実際距離数表示部に表示することを特徴とする。
【発明の効果】
【０００８】
本発明によれば、客車両用運転代行メーターを客車に取り付けることで随伴車を伴わないで代行員１人で運転代行を行うことができる。また車の買い入れ、維持費、人件費等の大幅な削減ができ、繁華街での駐車、交通、排気ガス等問題点を解決し、省エネルギーとクリーン化にも協力出来るものである。現在の随行車を必要とする運転代行システムから本システムへの移行が可能である。
【発明を実施するための最良の形態】
【０００９】
本発明の客車両運転代行メーター８は、カメラ部４、コントロール部２３、プリンター１７、各種表示部、各種操作ボタンから構成される。コントロール部２３では、カメラ部の制御、記憶、数値の変化の判断、演算、加算、減算、距離又時間の料金への変換、表示、明細、領収書、の発行、等々全ての制御をつかさどっている。各種表示部は、料金表示部１３、始距離数表示部１４、終距離数表示部１５、実際走行距離数表示部１６から構成される。各種操作ボタンは、走行ボタン１８，待ち時間ボタン１９、精算ボタン２０，明細・領収書発行ボタン２１、終了ボタン２２から構成される。
【００１０】
上記機能を持った客車両用運転代行メーター８を、客車両のスピードメーター１の中にある累計距離計２又は０ｍに戻し可能な距離計３から距離数を写し撮れる位置にカメラ部４のレンズ５を正対的に吸盤６で取り付ける。運転代行メーター８はバッテリー（電池）１２を電源として作動する。運転代行メーター８は、電源スイッチ９を入れて、運転代行開始直前に走行ボタン１８を押すと上記カメラで距離数を写し撮り、電気線７でつながっているコントロール部２３は前記の写し撮った画像から読み取りその距離数をデジタル化し、それを記憶し、その距離数を始距離数表示部１４に表示する。
【００１１】
客車両のスピードメーターには累計距離計２と、０ｍに戻し可能な距離計３があって、０ｍに戻し可能な距離計３は０ｍに戻せるし、１００ｍ単位で使いやすい距離計である。しかしながら客車両の一部に０ｍに戻し可能な距離計が付いていない客車両がある。全ての客車両を運転代行の対象とするには、両距離計２，３に共通する１ｋｍを単位とし、１ｋｍ走行したことを累計距離計２又は０ｍに戻し可能な距離計３の数字が変わるのを前記カメラ部４の撮影画面からコントロール部２３で感知し、コントロール部２３内の距離計も１ｋｍずつ加えていき、同時に料金も加算して料金表示部１３に表示する。
【００１２】
お客の都合で待ち時間が発生する時は、待ち時間ボタン１９を押すと、時刻を表示している時計１１を使い、コントロール部２３で待ち時間を計り、その時間を料金に換算し、代行料金に加算して料金表示部１３に表示する。その後、待ち時間が終わり走行ボタン１８を押すと、運転代行開始時に走行ボタン１８を押した時と同じ処理を引き続き行い、カメラで１ｋｍごとに距離数を写し撮り、コントロール部２３が写し撮った画像から読み取りその距離数をデジタル化し、それを記憶し、その距離数を金額に換算し、加算して料金表示部に表示する。
【００１３】
運転代行が終わった時、精算ボタン２０を押すと、前記カメラ部４で累計距離計２か０ｍに戻し可能な距離計３から距離数を写し撮り終距離数表示部１５に表示する。又終距離数から始距離数をコントロール部２３で減算し実際走行距離数を実際走行距離数表示部１６に表示する。精算ボタン２０を押した後は、走行しても、時間が経過しても料金が変わらない。又代行を続ける時は走行ボタン１８を押すと前の距離数、料金に引き続き代行を行う事ができる。終了ボタン２２を押さないかぎりは何回でも繰り返し代行を行える。終了ボタンを押すと全部クリアとなり、次は新たな運転代行の準備となる。
【００１４】
明細・領収書発行ボタン２１を押すと上記の明細、受け取り金額の領収書をコントロール部２３がプリンター１７を使い印刷発行できる。
【００１５】
本発明の運転代行メーター８を使用しての基本的な運転代行システムは、お客から電話で受付、社用車でお客の自動車の駐車場まで運転代行メーター８を持った代行員を送る。代行員はお客様と合い客車に運転代行メーター８を取り付け、電源スイッチ９を入れる。代行員は配車係に目的地を報告し、時間と目的地を考慮して目的地近くの空車タクシーを配車してもらう。代行員は目的地に着いたら運転代行メーター８の料金表示部１３に表示された料金を受け取り、運転代行メーター８を取り外しお客様に車をかえす。配車してもらった空車タクシーで帰社する。又郊外の地域は契約回収者と待ち合わせてその契約回収車にて帰社する。空車タクシーを使えない場合は自社回収車を使用する。
【図面の簡単な説明】
【００１６】
【図１】本発明の客車両用運転代行メーターを客車両のスピードメーター前方に取り付けて示した説明図。
【符号の説明】
【００１７】
１    スピードメーター  
２    累計距離計
３    ０ｍに戻し可能な距離計  
４    カメラ部
５    レンズ
６    吸盤
７    電気ケーブル
８    運転代行メーター
９    電源スイッチ
１０  電源ランプ
１１  時計
１２  バッテリー（電池）                
１３  料金表示部
１４  始距離数表示部
１５  終距離数表示部
１６  実際走行距離数表示部
１７  プリンター
１８  走行ボタン
１９  待ち時間ボタン
２０  精算ボタン
２１  明細・領収書発行ボタン
２２  終了ボタン
２３  コントロール部
【図１】
2009175787.tif 000003